(57)【要約】      （修正有）【課題】鉛蓄電池の端子間短絡等の異常使用あるいは誤使用によって想定以上の大電流で放電した場合、極柱が溶断し、この溶断時のスパークの電池内部に滞留した水素ガスへの引火と、これによる電槽や蓋の破損を抑制し、高い信頼性を有した鉛蓄電池を提供すること。【解決手段】蓋にインサート成型された端子ブッシング５と極柱６とが溶接され、極柱に大電流放電時に溶断する溶断部６ａを設ける。溶断部で生じた溶融鉛を堰き止めるための堰き止め部材１２を、極柱と端子ブッシング内壁の間、もしくは極柱と端子ブッシングの基部を被覆する被覆層４ａとの間に配置する。これらにより、溶断時の溶融鉛の落下による二次的な短絡が抑制され、かつ溶断時のスパークの、水素ガスへの引火と、これによる電槽、蓋の破損が抑制される。【選択図】図３
2008117586.tif 000002
【特許請求の範囲】
【請求項１】
蓋にインサート成型された筒状の端子ブッシングの先端に極柱が溶接された鉛蓄電池であり、前記端子ブッシングは、前記蓋にインサート成型された端子ブッシング基部と、前記蓋より突出する端子部を備え、前記端子部の先端において、前記端子ブッシングと前記極柱とが接合され、
前記端子ブッシング基部と前記極柱との間、もしくは、前記端子ブッシング基部の底面を覆い、かつ前記蓋と一体に設けられた基部被覆層と前記極柱との間の少なくとも一方に、
前記極柱が溶融して生じた溶融鉛を堰き止めるための堰き止め部材を配置し、
前記極柱の、前記堰き止め部材と前記端子部の先端との間に大電流放電時に溶断する溶断部を設け、
かつ、前記溶断部と前記堰き止め部材との間に溶融鉛を収納する収納空間部を設けたことを特徴とする鉛蓄電池。
【請求項２】
前記堰き止め部材を、前記極柱の一部に、他の部分よりも径を大きくした大径部として設けたことを特徴とする請求項１に記載の鉛蓄電池。
【請求項３】
前記堰き止め部材を、前記基部被覆層に接合したことを特徴とする請求項１１に記載の鉛蓄電池。
【請求項４】
前記堰き止め部材は、極柱に装着されたことを特徴とする請求項１もしくは請求項３に記載の鉛蓄電池。
【請求項５】
前記堰き止め部材は、極柱に装着され、かつ弾性を有し、前記堰き止め部材がその弾性によって、前記端子ブッシング基部もしくは前記基部被覆層に押圧状態で接することを特徴とする請求項１に記載の鉛蓄電池。
【発明の詳細な説明】
【技術分野】
【０００１】
本発明は、鉛蓄電池に関するものである。
【背景技術】
【０００２】
鉛蓄電池、特に、急放電性能が要求される、始動用鉛蓄電池や、バックアップ用の鉛蓄電池は、薄型極板や、断面積の大きな接続部材を使用することによって、電池の内部抵抗をなるべく下げる設計的配慮がされている。ところが、このような鉛蓄電池の端子間を誤って短絡した場合や、許容される範囲を超える大電流で放電した場合、鉛蓄電池内部がジュール熱により異常発熱する。
【０００３】
鉛蓄電池の内部接続部材は、鉛もしくは鉛合金であり、他の電池系で用いられるような他の金属に比較して、その融点は極めて低い。その結果、大電流での放電により、極柱やストラップあるいは極板耳部といった接続部で生じる熱で、これらの接続部材が溶断する場合がある。
【０００４】
このような接続部の溶断によって、その溶断部で放電電流が遮断されるため、電気スパークが発生する。鉛蓄電池では、充電時に水素ガスおよび酸素ガスが発生しており、排気栓を通して外部に放出されるものの、その一部が電池内に滞留している。このような滞留水素ガスが前記したようなスパークによって急激に燃焼し、場合によっては電槽や蓋を破損させるという問題がある。
【０００５】
このような問題は、溶断時のスパークが、電池内の水素ガスと隔離されていないがために発生するものである。したがって、このような問題を解決するために、溶断部を電池内部に滞留する水素ガスから隔離した部位に設定することが有効である。
【０００６】
特許文献１には、鉛蓄電池の極柱に径の小さい部分を設け、この部分を封止部材で封止する構造が示されている。これにより、径の小さい部分で溶断が発生したとしても、スパークは封止部材によって電池内の水素ガスと隔離される。特許文献２は、鉛蓄電池の内部接続経路上にフューズを配置し、フューズの周囲を、この溶断したフューズを収納する空間を残してエポキシ樹脂等の封止部材で封止する構成が示されている。
【特許文献１】実開平６−５６９６７号公報
【特許文献２】特開２００６−１２６０２号公報
【発明の開示】
【発明が解決しようとする課題】
【０００７】
特許文献１および特許文献２に示された構成は、いずれも溶断する部位を封止剤で封止する構成を有しているため、その製造工程において、封止剤を注入し、硬化する工程が必要となるため、生産性に優れているとはいえなかった。本発明は、封止剤を用いることなく、より生産性の高い構成で、接続部品の溶断による水素ガス引火と、これによる電槽、蓋の破損が抑制された安全性の高い鉛蓄電池を提供することを目的とする。
【課題を解決するための手段】
【０００８】
前記した課題を解決するために、本発明の請求項１に係る発明は、蓋にインサート成型された筒状の端子ブッシングの先端に極柱が溶接された鉛蓄電池であり、前記端子ブッシングは、蓋にインサート成型された端子ブッシング基部と、前記蓋より突出する端子部を備え、前記端子部の先端において、前記端子ブッシングと前記極柱とが接合され、前記端子ブッシング基部と前記極柱との間、もしくは、前記端子ブッシング基部の底面を覆い、かつ前記蓋と一体に設けられた基部被覆層と前記極柱との間の少なくとも一方に、前記極柱が溶融して生じた溶融鉛を堰き止めるための堰き止め部材を配置し、前記極柱の、前記堰き止め部材と前記端子部の先端との間に大電流放電時に溶断する溶断部を設け、かつ、前記溶断部と前記堰き止め部材との間に溶融鉛を収納する収納空間部を設けたことを特徴とする鉛蓄電池を示すものである。
【０００９】
また、本発明の請求項２に係る発明は、請求項１の構成を有した鉛蓄電池において、前記堰き止め部材を、前記極柱の一部に、他の部分よりも径を大きくした大径部として設けたことを特徴とする。
【００１０】
また、本発明の請求項３に係る発明は、請求項１の構成を有した鉛蓄電池において、前記堰き止め部材を、前記基部被覆層に接合したことを特徴とする。
【００１１】
さらに、本発明の請求項４に係る発明は、請求項１もしくは３の構成を有した鉛蓄電池において、前記堰き止め部材は、極柱に装着されたことを特徴とする。
【００１２】
そして、本発明の請求項５に係る発明は、請求項１の構成を有した鉛蓄電池において、前記堰き止め部材は、極柱に装着され、かつ弾性を有し、前記堰き止め部材がその弾性によって、前記端子ブッシング基部もしくは前記基部被覆層に押圧状態で接することを特徴とする。
【発明の効果】
【００１３】
本発明によれば、鉛蓄電池を誤って短絡する等、異常な大電流放電を行った場合において、極柱と端子ブッシングとの溶接部直下に設けた溶断部が溶断することによって、短絡電流が遮断される。また、溶断時に極柱が溶融して生じる溶融鉛の極板群への落下が堰き止め部材で抑制されるとともに、堰き止め部材によって、溶断部で生じたスパークと電池内に滞留した水素ガスとが隔離されるため、水素ガスへの引火と、これによる鉛蓄電池の電槽や蓋の破損が抑制される。
【発明を実施するための最良の形態】
【００１４】
（第１の実施形態）
以下、図面を用いて本発明の第１の実施形態による鉛蓄電池の構成を説明する。
【００１５】
図１は、本発明の第１の実施形態による鉛蓄電池１の要部断面を示す図である。電槽２に極板群（図示せず）が収納されており、電槽２の上部を閉じる蓋４を備える。蓋４には筒状の端子ブッシング５がインサート成型されている。端子ブッシング５は、蓋４中に埋設された端子ブッシング基部５ａと、蓋４から突出し、電池の正極・負極端子として機能する端子部５ｂを備える。
【００１６】
極板群からは、極板群と端子部５ｂとを接続するための極柱６が導出されており、極柱６の先端部が端子部５ｂの先端で溶接されている。
【００１７】
本発明では、極柱６の端子部５ｂとの溶接部の下方の位置に、溶断部６ａを設ける。この溶断部６ａは、鉛蓄電池１を端子間短絡等により、異常な大電流で放電した際に溶断することによって、短絡を停止させる機能を有する。
【００１８】
溶断部６ａとしては、一例として、図１に示したような、極柱６の径を細くし、断面積を他の部分よりも小さく設定することによる。また、他の手段としては、溶断部６ａの融点を極柱６の他の部分の融点よりも低い材料で構成してもよい。例えば、極柱６用の合金の一種として用いられるＰｂ−Ｓｎ合金では、Ｓｎ濃度によって融点が変化するため、例えば、溶断部６ａをＰｂ−２０ｗｔ％Ｓｎとし、溶断部６ａ以外の部分をＰｂ−２０ｗｔ％Ｓｎ合金よりも融点の高いＰｂ−２．５ｗｔ％Ｓｎ合金としてもよい。
【００１９】
なお、溶断が確実に溶断部６ａで発生するよう、溶断部６ａの断面積を、ストラップや極板耳といった他の接続部の断面積の関係において設定すべきである。なお、電槽２内に存在する電解液によって、各接続部が冷却されるため、電解液面位置を種々変更させ、溶断部６ａで溶断が行われるよう、溶断部６ａの断面積や融点等を予め設定しておく。このような設定は、事前の短絡試験や、ＣＡＥ解析によって可能である。
【００２０】
本発明の鉛蓄電池１においては、極柱６の端子ブッシング基部５ａを覆い、かつ蓋４と一体に設けた基部被覆層４ａに対応した部分に極柱の径が他の部分より大となる大径部６ｂを設ける。大径部６ｂは、その先端が基部被覆層４ａに接するか、接しない場合でも、大径部６ｂと基部被覆層４ａとの間隙が、溶断部６ａで生じた溶融鉛が大径部６ｂによって堰き止められ、極板群への落下が抑制されるに十分な間隙以下に保たれる。
【００２１】
このような溶融鉛を堰き止める、堰き止め部材としての機能を有した大径部６ｂと、溶断部６ａとの間には、溶断部６ａの溶融によって生じた溶融鉛を収納するための収納空間部３が設けられる。収納空間部３の容積は、収納空間部３に溶融鉛が流れ込んだ状態で、溶断部６ａで確実に電気的接続が遮断されるに十分な容積とする。収納空間部３の容積が必要以下である場合、溶融鉛の逃げ場がなく、溶融鉛を介して極柱６の電気的導通が保持されるためである。
【００２２】
この大径部６ｂは、端子間短絡のように、異常な大電流で放電した際、溶断部６ａで生じた溶融鉛を、極板群３に落下しないよう堰き止める、堰き止め部材としての作用を有する。さらに、大径部６ｂは、溶断部６ａの溶断によって生じたスパークと電槽２内に滞留した水素ガスとを隔離し、水素ガスへの引火と、これによる、電槽２や蓋４の破損が抑制される。
【００２３】
また、溶断部６ａは、端子ブッシング５の内部に配置できるため、別途のスペースが不要であり、従来の鉛蓄電池と同一体積で、本発明の鉛蓄電池を得ることができる。また、前記した特許文献２で示された鉛蓄電池における、極柱とフューズの間、およびフューズと端子の間の配線が不要であるため、部品点数が削減される。また、従来の鉛蓄電池の蓋をそのまま使用できるため、部品の共用化が可能である。さらに、特許文献１や特許文献２で必要なエポキシ樹脂等の封止剤や、これを注入硬化するための工程が不要となることから、生産性の面で非常に好ましい。
【００２４】
なお、図１は、端子ブッシング基部５ａの下面が、基部被覆層４ａによって覆われた構成例を示したが、鉛蓄電池の個別の設計においては、図２に示したように、基部被覆層４ａを設けない場合がある。この場合、堰き止め部材としての大径部６ｂは、基部被覆層４ａに替えて、端子ブッシング基部５ａの内壁に対峙するよう配置すればよい。
【００２５】
（第２の実施形態）
本発明の第２の実施形態による鉛蓄電池１１は、前記した本発明の第１の実施形態による鉛蓄電池１において、堰き止め部材として作用する大径部６ｂに替えて、図３に示したように、極柱６とは別体に設けられた堰き止め部材１２を用いた構成を有する。なお、その他の構成について、鉛蓄電池１と鉛蓄電池１１とは変わるところはない。そして、堰き止め部材１２は、大径部６ｂと同様の機能を有する。
【００２６】
堰き止め部材１２は、溶断部６ａを電槽２内の空間から隔離すればよいので、極柱６に装着してもよく、基部被覆層４ａ、もしくは基部被覆層４ａを有さない場合には、端子ブッシング５の内壁に接合してもよい。
【００２７】
図３は、リング状の堰き止め部材１２を極柱６に装着し、堰き止め部材１２が基部被覆層４ａと接した状態とした例を示したものである。堰き止め部材１２は、極柱６の外周に設けた突起６ｃ等の位置決め手段によって、極柱６の所定位置に堰き止め部材１２が配置される。また、堰き止め部材１２を極柱６にインサート成型して、予め一体部品としてもよい。
【００２８】
堰き止め部材１２としては、電槽２や蓋４と同様、耐酸性を有した材質のもので構成すればよく、一例として、通常の始動用鉛蓄電池の電槽、蓋に用いられるような、ポリプロピレン樹脂を用いることができる。堰き止め部材１２は、溶断部６ａの溶融によって生じた溶融鉛合金を堰き止めるとともに、溶断部６ａの溶断によって生じたスパークの電槽２の内部に滞留した水素ガスへの引火を抑制するため、堰き止め部材１２と基部被覆層４ａ、基部被覆層４ａを有さない場合には、堰き止め部材１２と端子ブッシング５の内壁とを、好ましくは、隙間なく接した状態とする。
【００２９】
例えば、堰き止め部材１２と基部被覆部４ａ、基部被覆層４ａを有さない場合には、堰き止め部材１２と端子ブッシング５の内壁とを熱溶着等の手段により隙間なく接合することができる。
【００３０】
また、堰き止め部材１２をフッ素系ゴム等の、電解液の希硫酸に耐えうる程度の対薬品性と、弾性を有した素材で構成することができる。電槽２と蓋４とが接合された状態で、堰き止め部材１２が基部被覆層４ａもしくは端子ブッシング５の内壁に押圧状態で圧接されていることが、溶断部６ａで発生するスパークが電槽２内の滞留水素ガスと隔離され、好ましい。
【００３１】
また、堰き止め部材１２として弾性を有した素材を用いることにより、特に、極柱６の位置に製造ばらつきが生じた場合においても、このばらつきが堰き止め部材１２によって吸収され、堰き止め部材１２と基部被覆層４ａもしくは、堰き止め部材１２と端子ブッシング内壁との間の隙間を安定して閉じることができる。その結果、溶断部６ａで発生したスパークの水素ガスへの引火と、これによる電槽２および蓋４の破損がより効果的に抑制され、好ましい。
【００３２】
本発明によれば、溶断部６ａを封止するためのエポキシ樹脂等の封止剤を必要としないため、封止剤を溶断部６ａに注入硬化するための工程が不要であり、生産性の向上に寄与することができる。
【００３３】
なお、本発明では、堰き止め部材１２（堰き止め部材として作用する大径部６ｂを含む）と基部被覆層４ａもしくは、堰き止め部材１２と端子ブッシング５の内壁とは、必ずしも密着している必要はないが、その間隙は、少なくとも０．２ｍｍ以内とすることが望ましい。間隙がある場合でも、間隙寸法が０．２ｍｍ以下であれば、溶断部６ａで生じたスパークの、水素ガスへの引火伝播を効果的に抑制可能であり、本発明の効果を得ることができる。
【００３４】
また、始動用鉛蓄電池のように、常に振動衝撃が加わった状態で用いられる鉛蓄電池では、堰き止め部材（堰き止め部材１２と、堰き止め部材として作用する大径部６ｂを含む）と基部被覆層４ａとの接触部で振動による摩擦が生じるために、堰き止め部材の強度は、この摩擦の応力に耐える設計が必要となる。堰き止め部材と基部被覆層４ａとの間，もしくは、堰き止め部材と端子ブッシング５の間の、適切な量に設定された間隙の存在により、この摩擦応力が発生しないため、堰き止め部材１２の強度もさほど必要とされず、より薄型化したものを使用できる。
【００３５】
また、堰き止め部材１２として、弾性を有した材料を用いることにより、このような摩擦応力は、堰き止め部材１２により熱エネルギーに変換され、堰き止め部材１２の劣化が抑制される。また、堰き止め部材１２自身の弾性によって堰き止め部材１２と基部被覆層４ａとの間、もしくは堰き止め部材１２と端子ブッシング５の内壁との間隙が埋められ、スパークの電槽２内部に滞留した水素ガスへの引火が抑制される程度に十分に狭く保持される。このような状態は、電池に振動が加わった状態でも安定に持続される。したがって、弾性を有した堰き止め部材１２を用いる構成は、特に、振動を受けた状態で使用される、自動車用の始動用鉛蓄電池に特に好ましい。
【実施例１】
【００３６】
（実施例１）
本発明例による電池と比較例による電池を作成し、これらの各電池を満充電状態とした後、さらに過充電することによって、電槽内部に水素ガスと酸素ガスとを滞留させ、この状態で、各電池の端子間を短絡させたときの状態を観察した。
【００３７】
本発明例の電池および比較例の電池ともに、ＪＩＳ  Ｄ５３０１（始動用鉛蓄電池）で規定する５５Ｄ２３形（１２Ｖ４８Ａｈ）の液式の始動用鉛蓄電池である。以下、各電池の構成を説明する。
【００３８】
（本発明例の電池Ａ）
本発明例の電池Ａは、図１に示した本発明の第１の実施形態による鉛蓄電池１に相当する電池である。極柱６の径ｄ1は１０．５ｍｍ、大径部６ｂの径ｄ3は１５．０ｍｍ、溶断部６ａの径ｄ2を８．５ｍｍとした。大径部６ｂは端子ブッシング５の下面を覆う基部被覆層４ａに０．２ｍｍの隙間で対峙している。なお、電解液面位置は、図１に示す線Ｘにあり、蓋４の内側面より２６．０ｍｍ（図１におけるｈ寸法）、下方に設定している。
【００３９】
（本発明例の電池Ｂ）
本発明例の電池Ｂは、図２に示したように、本発明例の電池Ａにおいて、蓋４において、端子ブッシング５の下面を覆う基部被覆層４ａを有さず、端子ブッシング５の下面が蓋４より露出した状態となっている。極柱６は、前記した本発明例の電池Ａのものと同一形状・寸法を有している。大径部６ｂは、端子ブッシング５の下端で接した状態となっている。電解液面位置は、図２に示す線Ｘにあり、本発明例の電池Ａと同様、蓋４の内側面より２６．０ｍｍ（図２におけるｈ寸法）、下方に設定している。なお、大径部６ｂと端子ブッシング５の内壁との間隙寸法は、０．２ｍｍである。
【００４０】
（本発明例の電池Ｃ）
本発明例の電池Ｃは、図３に示した本発明の第２の実施形態による鉛蓄電池１１に相当する電池である。端子ブッシング５の下部を覆う基部被覆層４ａに当接する、厚み３．５ｍｍのポリプロピレン樹脂製の堰き止め部材１２が極柱６に装着されている。堰き止め部材１２は、極柱６の外周より突出する突起６ｃによって、極柱６への装着位置が位置決めされている。なお、堰き止め部材１２は、基部被覆層４ａに接した状態であるものの、両者は接合しておらず、一部で０．２ｍｍ以下の間隙が生じている。
【００４１】
電池Ｃでは、極柱６の径ｄ1は１０．５ｍｍ、溶断部６ａの径ｄ2は８．５ｍｍである。また、電解液面位置は、図３に示す線Ｘにあり、電池ＡおよびＢと同様、蓋の内側面より２６．０ｍｍ（図３に示すｈ寸法）、下方に設定している。
【００４２】
（本発明例の電池Ｄ）
本発明例の電池Ｄは、本発明例の電池Ｃにおいて、堰き止め部材１２と基部被覆層４ａとが、互いに熱溶着によって接合されたものである。その他の部分の構成は、電池Ｃに変わるところがない。
【００４３】
（本発明例の電池Ｅ）
本発明例の電池Ｅは、本発明例の電池Ｃにおいて、堰き止め部材１２をフッ素系のゴムで構成し、堰き止め部材１２が、それ自身の弾性によって、基部被覆層４ａを押圧した状態とし、両者を密着状態としたものである。堰き止め部材１２の厚みは３．５ｍｍである。その他の部分の構成は、電池Ｃに変わるところはない。
【００４４】
（比較例の電池Ｆ）
比較例の電池Ｆは、図４に示したように、本発明例の電池Ｃより堰き止め部材１２と、極柱６の外周に形成した突起６ｃを除去した電池である。極柱６の径ｄ1は、他の電池と同様、１０．５ｍｍであり、端子部５ｂと極柱６との溶接部より下方の位置に溶断部６ａが設けられている。溶断部６ａの径ｄ2は、他の電池と同様、８．５ｍｍとした。
【００４５】
電解液面位置は、図４に示す線にあり、他の電池と同様、蓋４の内側面より２６．０ｍｍ（図３に示すｈ寸法）、下方に設定している。
【００４６】
（比較例の電池Ｇ）
比較例の電池Ｇは、図５に示したように、他の部分よりも径が小さくした溶断部を設けず、極柱径ｄ1を１０．５ｍｍで一定とした極柱１３を用いた電池である。他の部分の構成は、すべて電池Ｆと同一である。
【００４７】
上記の各電池について、温度２５℃雰囲気において、１４．５Ｖ、２５Ａの定電圧定電流充電を１２時間行った。その後、長期使用によって電解液面が大幅に低下したことを想定し、電池内から電解液を排出して、極板高さの５０％の位置とした。この状態で、極板の上部５０％が電解液から露出した状態となっている。
【００４８】
電解液排出後、各電池を４．８Ａで１時間、定電流による過充電を行った。この過充電は、電池内部に水素ガスと酸素ガスが滞留した状態とするためのものである。この過充電終了直後に各電池の端子間を強制的に短絡し、電池の状態を確認した。なお、端子間の電圧を計測することによって、電池内部で溶断が発生した時間を計測した。また、試験の間、電池の様子を音声とともにビデオ撮影し、電槽や蓋が破損した場合には、その発生時間も計測した。これらの結果を表１に示す。
【００４９】
【表１】
2008117586.tif 000003
【００５０】
表１に示した結果から、本発明例の電池Ａ〜Ｅは、比較例の電池Ｆ、Ｇで発生したような、短絡時の電池内部での水素ガス引火も、これによる電槽、蓋の破損も抑制されていた。また、本実施例では、堰き止め部材１２と基部被覆層４ａとの間を接合したかどうかに関わらず、電池Ｃ（接合なし）と電池Ｄ（接合あり）のいずれも水素ガスの引火が十分に抑制されていた。
【００５１】
なお、電池Ａ〜Ｆでは、極柱の小径とした溶断部で溶断が発生していた。溶断部を設けない、電池Ｇでは、電池Ａ〜Ｆで設けた溶断部よりも若干下方の位置で溶断が発生していた。
【００５２】
また、堰き止め部材を設けない、比較例の電池Ｆ、Ｇでは、極柱が溶融した溶融鉛は下方に落下し、正極板と負極板上で凝固していた。なお、この凝固鉛には、短絡痕があり、極柱が溶断して落下した鉛が、二次的な短絡を引き起こしていた。
【００５３】
一方、本発明の電池Ａ〜Ｅでは、堰き止め部材１２もしくは大径部６ｂ上で、溶融鉛が凝固しており、溶融鉛の極板上への落下と、これによる二次的な短絡が抑制されていた。
【００５４】
本発明によれば、封止剤を用いることなく、鉛蓄電池の極柱に設定した溶断部のスパークの、水素ガスへの引火と、これによる電槽、蓋の破損が顕著に抑制できることがわかる。また、封止剤を注入硬化する工程を要しないため、封止剤注入用の設備や、封止剤硬化のための熱硬化炉といった設備が不要となる。また、硬化時間の確保も不要となる。さらには、電槽、蓋といった主要部品は、従来のものが共用できるため、生産性向上の面で非常に好ましい。
【産業上の利用可能性】
【００５５】
以上、本発明によれば、短絡等の異常な大電流放電が遮断でき、かつ電池内部で発生したスパークの水素ガスへの引火と、これによる電槽、蓋の破損が抑制できることから、始動用鉛蓄電池をはじめとして、様々な用途の鉛蓄電池に好適である。
【図面の簡単な説明】
【００５６】
【図１】本発明の第１の実施形態による鉛蓄電池の要部断面を示す図
【図２】本発明の第１の実施形態による他の鉛蓄電池の要部断面を示す図
【図３】本発明の第２の実施形態による鉛蓄電池の要部断面を示す図
【図４】比較例による電池の要部断面を示す図
【図５】比較例による他の電池の要部断面を示す図
【符号の説明】
【００５７】
１    鉛蓄電池
２    電槽
３    収納空間部
４    蓋
４ａ  基部被覆層
５    端子ブッシング
５ａ  端子ブッシング基部
５ｂ  端子部
６    極柱
６ａ  溶断部
６ｂ  大径部
６ｃ  突起
１１  鉛蓄電池
１２  堰き止め部材
１３  極柱
【図１】
2008117586.tif 000004
【図２】
2008117586.tif 000005
【図３】
2008117586.tif 000006
【図４】
2008117586.tif 000007
【図５】
2008117586.tif 000008